【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
イベントを示すイベントデータと、前記イベントに応じた制御を行えないプロジェクタの状態を示す状態データと、前記イベントと前記状態との組合せによる条件ごとに設けられ、前記制御を行えない理由および前記制御を行わせるための対応方法の少なくとも一方を音声で出力するための音声データとを含む音声ナビゲーションテーブルと、発生したイベントと、現在の状態とを示す状態テーブルとを記憶する記憶部と、
前記プロジェクタに関する変化を検出するとともに、当該検出に応じて前記状態テーブルを更新する更新部と、
前記状態テーブルの内容が、前記音声ナビゲーションテーブルで示される前記条件と適合するかどうかを判定する判定部と、
当該判定部によって前記条件と適合すると判定された場合、前記音声ナビゲーションテーブルにおける当該条件に応じた前記音声データに基づく音声情報を生成する情報生成部と、
前記音声情報に基づき、前記理由および前記対応方法の少なくとも一方を音声で出力する音声出力部と、
を含むことを特徴とするプロジェクタ。
【請求項２】
請求項１に記載のプロジェクタにおいて、
画像を生成する画像生成部と、
当該画像を投写する投写部と、
を含み、
前記記憶部は、前記イベントデータと、前記状態データと、前記条件ごとに設けられ、前記理由および前記対応方法の少なくとも一方を画像で表示するための画像データとを含む画像ナビゲーションテーブルを記憶し、
前記判定部は、前記状態テーブルに基づき、音声ナビゲーションが有効な状態であるかどうかを判定するとともに、当該音声ナビゲーションが有効な状態ではない場合、前記状態テーブルの内容が、前記画像ナビゲーションテーブルで示される前記条件と適合するかどうかを判定し、
前記判定部によって音声ナビゲーションが有効な状態であると判定された場合、前記情報生成部は、前記音声情報を生成し、
前記判定部によって前記音声ナビゲーションが有効な状態ではないと判定された場合、前記画像生成部は、前記判定部によって前記画像ナビゲーションテーブルで示される前記条件と適合すると判定された場合、前記画像ナビゲーションテーブルにおける当該条件に応じた前記画像データに基づき、前記理由および前記対応方法の少なくとも一方を示す画像を生成することを特徴とするプロジェクタ。
【請求項３】
請求項２に記載のプロジェクタにおいて、
操作情報を入力する情報入力部と、
当該操作情報に基づき、操作に関する時間を計時する計時部と、
を含み、
前記判定部は、前記操作情報と、前記操作に関する時間とに基づき、第１の所定時間内に期待すべき操作が行われなかったことおよび第２の所定時間内に複数回の同一操作が行われたことの少なくとも一方を示す不適切操作イベントが発生したかどうかを判定し、
前記更新部は、前記判定部によって前記不適切操作イベントが発生したと判定された場合、前記音声ナビゲーションが有効な状態であることを示すように、前記状態テーブルを更新することを特徴とするプロジェクタ。
【請求項４】
イベントを示すイベントデータと、前記イベントに応じた制御を行えないプロジェクタの状態を示す状態データと、前記イベントと前記状態との組合せによる条件ごとに設けられ、前記制御を行えない理由および前記制御を行わせるための対応方法の少なくとも一方を音声で出力するための音声データとを含む音声ナビゲーションテーブルと、発生したイベントと、現在の状態とを示す状態テーブルとを記憶する記憶部と、
操作情報を入力する情報入力部と、
当該操作情報に基づき、操作に関する時間を計時する計時部と、
前記プロジェクタに関する変化を検出するとともに、当該検出に応じて前記状態テーブルを更新する更新部と、
前記状態テーブルの内容が、前記音声ナビゲーションテーブルで示される前記条件と適合するかどうかを判定するとともに、前記状態テーブルに基づき、音声ナビゲーションが有効な状態であるかどうかを判定する判定部と、
当該判定部による２つの判定結果が両方とも真である場合、前記音声ナビゲーションテーブルにおける当該条件に応じた前記音声データに基づく音声情報を生成する情報生成部と、
前記音声情報に基づき、前記理由および前記対応方法の少なくとも一方を音声で出力する音声出力部と、
を含み、
前記更新部は、前記操作情報と、前記操作に関する時間とに基づき、第１の所定時間内に期待すべき操作が行われなかったことおよび第２の所定時間内に複数回の同一操作が行われたことの少なくとも一方を示す不適切操作イベントが発生したかどうかを検出するとともに、前記不適切操作イベントが発生した場合、前記音声ナビゲーションが有効な状態であることを示すように、前記状態テーブルを更新することを特徴とするプロジェクタ。
【請求項５】
請求項１〜４のいずれかにおいて、
前記音声ナビゲーションテーブルは、前記条件ごとの判定順序を示すシーケンス番号を含み、
前記判定部は、前記シーケンス番号の順序で判定を行うことを特徴とするプロジェクタ。
【請求項６】
記憶部と、音声出力部とを含むプロジェクタの有するコンピュータによるナビゲーション方法であって、
前記コンピュータは、
イベントを示すイベントデータと、前記イベントに応じた制御を行えないプロジェクタの状態を示す状態データと、前記イベントと前記状態との組合せによる条件ごとに設けられ、前記制御を行えない理由および前記制御を行わせるための対応方法の少なくとも一方を音声で出力するための音声データとを含む音声ナビゲーションテーブルと、発生したイベントと、現在の状態とを示す状態テーブルとを前記記憶部に記憶させ、
前記プロジェクタに関する変化を検出するとともに、当該検出に応じて前記状態テーブルを更新し、
前記状態テーブルの内容が、前記音声ナビゲーションテーブルで示される前記条件と適合するかどうかを判定し、
当該判定部によって前記条件と適合すると判定された場合、前記音声ナビゲーションテーブルにおける当該条件に応じた前記音声データに基づく音声情報を生成し、
前記音声情報に基づき、前記理由および前記対応方法の少なくとも一方を音声で前記音声出力部に出力させるナビゲーション方法。
【請求項７】
記憶部と、情報入力部と、計時部と、音声出力部とを含むプロジェクタの有するコンピュータによるナビゲーション方法であって、
前記コンピュータは、
イベントを示すイベントデータと、前記イベントに応じた制御を行えないプロジェクタの状態を示す状態データと、前記イベントと前記状態との組合せによる条件ごとに設けられ、前記制御を行えない理由および前記制御を行わせるための対応方法の少なくとも一方を音声で出力するための音声データとを含む音声ナビゲーションテーブルと、発生したイベントと、現在の状態とを示す状態テーブルとを前記記憶部に記憶させ、
操作情報を前記情報入力部に入力させ、
当該操作情報に基づき、操作に関する時間を前記計時部に計時させ、
前記プロジェクタに関する変化を検出するとともに、当該検出に応じて前記状態テーブルを更新し、
前記状態テーブルの内容が、前記音声ナビゲーションテーブルで示される前記条件と適合するかどうかを判定するとともに、前記状態テーブルに基づき、音声ナビゲーションが有効な状態であるかどうかを判定し、
当該判定部による２つの判定結果が両方とも真である場合、前記音声ナビゲーションテーブルにおける当該条件に応じた前記音声データに基づく音声情報を生成し、
前記音声情報に基づき、前記理由および前記対応方法の少なくとも一方を音声で前記音声出力部に出力させ、
前記操作情報と、前記操作に関する時間とに基づき、第１の所定時間内に期待すべき操作が行われなかったことおよび第２の所定時間内に複数回の同一操作が行われたことの少なくとも一方を示す不適切操作イベントが発生したかどうかを判定し、
前記不適切操作イベントが発生したと判定した場合、前記音声ナビゲーションが有効な状態であることを示すように、前記状態テーブルを更新するナビゲーション方法。
【請求項８】
プロジェクタの有するコンピュータにより読み取り可能なプログラムであって、
請求項６、７のいずれかに記載の前記ナビゲーション方法を前記コンピュータに実行させるプログラム。
【請求項９】
プロジェクタの有するコンピュータにより読み取り可能なプログラムを記憶した情報記憶媒体であって、
請求項８に記載のプログラムを記憶した情報記憶媒体。
【手続補正２】
【補正対象書類名】明細書
【補正対象項目名】発明の名称
【補正方法】変更
【補正の内容】
【発明の名称】プロジェクタ、ナビゲーション方法、プログラムおよび情報記憶媒体
【手続補正３】
【補正対象書類名】明細書
【補正対象項目名】０００１
【補正方法】変更
【補正の内容】
【０００１】
本発明は、プロジェクタ、ナビゲーション方法、プログラムおよび情報記憶媒体に関する。
【手続補正４】
【補正対象書類名】明細書
【補正対象項目名】０００５
【補正方法】変更
【補正の内容】
【０００５】
本発明の目的は、プロジェクタの状態に応じて音声を用いたナビゲーションを行うことが可能なプロジェクタ、ナビゲーション方法、プログラムおよび情報記憶媒体を提供することにある。